(57)【要約】      （修正有） 【課題】最も短い吊り上げ距離を有し、軽量で高いモバイル性を有し、充電式の制御手段を具え、使用上便利で安全なチェーン式吊り上げ装置を提供する。【解決手段】吊り上げ装置本体１と充電式の制御手段２とから構成され、吊り上げ装置本体は、両端がそれぞれ本体カバー１４で覆われ、電動機セットと、歯車セットと、電動機セットと歯車セットによって駆動するスプロケットと、スプロケットに連動して展開もしくは収納されるチェーン１３と、を内設するとともに、上端に上フック１０１、チェーンの一端に下フック１７、外面にチェーンカバー１５を設け、かつチェーンカバーに収納口１５０を有するベース部１０を具える。制御手段２は、電子計算手段と、電子計算手段を制御する制御板と、押しボタンスイッチ２１３と、充電座と、電池２１５とを具え、吊り上げ装置本体に電気的に接続して作動を制御する制御用ケーブル２１６を有する。【選択図】図３
0003196542.tif 000002
【実用新案登録請求の範囲】
【請求項１】
両端をそれぞれ本体カバーで覆ってなり、かつ電動機セットと、歯車セットと、該電動機セットと該歯車セットによって駆動するスプロケットと、該スプロケットに連動して展開し、もしくは収納されるチェーンと、を内設してなるとともに、上端に上フックを設け、該チェーンの一端に下フックを設け、外面にチェーンカバーを設け、かつ該チェーンカバーに収納口を設けてなるベース部を具える吊り上げ装置本体と、
電子計算手段と、該電子計算手段を制御する制御板と、押しボタンスイッチと、充電座と、電池とを具えるともに、該吊り上げ装置本体に電気的に接続して該吊り上げ装置本体の作動を制御する制御用ケーブルとを具えてなる充電式の制御手段と、を具えてなることを特徴とするチェーン式吊り上げ装置。
【請求項２】
前記ベース部を覆う該本体カバーの一方に該電動機セットに電気的に接続するコンセントを設けるとともに、該コンセントにコンセントカバーを設け、かつ該制御板の制御用ケーブルの一端に、該コンセントに挿入されて電気的接続するコネクタを設けることを特徴とする請求項１に記載のチェーン式吊り上げ装置。
【請求項３】
前記歯車セットが遊星歯車機構であって、第１歯車セットと、第２歯車セットと、シャフトギアとを順に歯合させて伝動を行う三段階の減速を行い、該ベース部に内設された該スプロケットを連動させ、かつ該スプロケットの回転で該チェーンを連動させてガイド板内で作動させるとともに、該チェーンを該収納口からチェーンを展開、もしくは収納することを特徴とする請求項１に記載のチェーン式吊り上げ装置。
【請求項４】
前記チェーンの一端に下フックを設け、かつ該下フックの上方に、該チェーンの可動距離を制限する弾性緩衝ブロックを設けることを特徴とする請求項３に記載のチェーン式吊り上げ装置。
【請求項５】
前記チェーンの下方に弾性緩衝ブロックと下フックとを設け、かつ該弾性緩衝ブロックが該下フック上に位置し、該弾性緩衝ブロックにスプロケットを内設し、該チェーンが該弾性緩衝ブロックに進入し、内設する該スプロケットに歯合して通過し、一端が該ベース部に固定されるとともに、該チェーンが該下フック上に並列し、それぞれ位置制限ブロックと、スプロケット端とを付設して該チェーンの可動距離を制限して、動滑車方式の構造を形成することを特徴とする請求項３に記載のチェーン式吊り上げ装置。
【請求項６】
前記下フックが３６０度の回転を達成し、かつ該下フックに安全弾性板を設けることを特徴とする請求項１に記載のチェーン式吊り上げ装置。
【請求項７】
前記制御板に、電力量、出力、過負荷アラームを表示するＬＥＤ表示窓を設けることを特徴とする請求項１に記載のチェーン式吊り上げ装置。
【考案の詳細な説明】
【技術分野】
【０００１】
この考案は、物体を吊り上げたり、下ろしたりする作業に用いる場合にチェーン式吊り上げ装置に関する。
【背景技術】
【０００２】
一般に、重い物体を吊り上げる作業に使用される吊り上げ装置は、主に電動機で伝動歯車を駆動して大きな機械的動力を得て、思い物体を低いところから高い所に短時間で移動させて労力を省く効果を有する。従来の吊り上げ装置は、ワイヤロープ、電動機、歯車セット、制御手段などのユニットを具えてなり、制御手段によって電動機の回転方向と歯車セットの動力の伝動を制御して、ワイヤロープで物体の吊り上げ、または物体を下す作業を行う。
【０００３】
然しながら、吊り上げ装置を実際に設置する場合、装置の体積が大きいため、もしくは構造が複雑であることから、通常は外部接続の制御ボックスを別途設け固定する。該制御ボックスは、電源に近い場所に設置しなければならない。電源を得ることが難しいか、電源が得られない場所で重い物体を吊り上げたり、ゆっくり下ろしたりする作業を行う場合は、必要に応じて随時移動させることができない。このため使用上の不便となり、作業員の困惑を招く。
【０００４】
また、昨今は物品の軽量化とモバイル性という機能が重視されている。吊り上げ装置についても同様に、構造上体積が大きくなり、設置、固定が容易でないなどの点が問題視されている。しかも、装置と被吊り上げ物との間の吊り上げ距離について、理想的でない状態が容易に発生する。これら欠点を改善し、市場における装置の製品としての競争能力を高めることが望まれている。
【考案の概要】
【考案が解決しようとする課題】
【０００５】
この考案は、最も短い吊り上げ距離を有し、吊り上げ作業の空間の制限を減少させることができるチェーン式吊り上げ装置を提供することを課題とする。
【０００６】
また、この考案は、軽量で、高いモバイル性を有し、作業する場所の様々な状況に応じて使用することのできるチェーン式吊り上げ装置を提供することを課題とする。
【０００７】
また、この考案は電動の吊り上げ装置であって、充電機能を有する制御手段を具え、使用上の利便性を具えるとともに、電力量、出力、過負荷アラームなどの表示を行い、安全性を高めることのできるチェーン式吊り上げ装置を提供することを課題とする。
【課題を解決するための手段】
【０００８】
そこで、本考案者は従来の吊り上げ装置に見られる欠点に鑑み鋭意研究を重ねた結果、吊り上げ装置本体と充電式の制御手段とを具えてなり、該吊り上げ装置本体が、両端をそれぞれ本体カバーで覆ってなり、かつ電動機セットと、歯車セットと、該電動機セットと該歯車セットによって駆動するスプロケットと、該スプロケットに連動して展開し、もしくは収納されるチェーンと、を内設してなるとともに、上端に上フックを設け、該チェーンの一端に下フックを設け、外面にチェーンカバーを設け、かつ該チェーンカバーに収納口を設けてなるベース部を具えてなり、該制御手段が  電子計算手段と、該電子計算手段を制御する制御板と、押しボタンスイッチと、充電座と、電池とを具えるともに、該吊り上げ装置本体に電気的に接続して該吊り上げ装置本体の作動を制御する制御用ケーブルとを具えてなるチェーン式吊り上げ装置によって課題を解決できる点に着眼し、係る知見に基づいて本考案を完成させた。以下この考案について説明する。
【０００９】
請求項１に記載するチェーン式吊り上げ装置は、両端をそれぞれ本体カバーで覆ってなり、かつ電動機セットと、歯車セットと、該電動機セットと該歯車セットによって駆動するスプロケットと、該スプロケットに連動して展開し、もしくは収納されるチェーンと、を内設してなるとともに、上端に上フックを設け、該チェーンの一端に下フックを設け、外面にチェーンカバーを設け、かつ該チェーンカバーに収納口を設けてなるベース部を具える吊り上げ装置本体と、
電子計算手段と、該電子計算手段を制御する制御板と、押しボタンスイッチと、充電座と、電池とを具えるともに、該吊り上げ装置本体に電気的に接続して該吊り上げ装置本体の作動を制御する制御用ケーブルとを具えてなる充電式の制御手段と、を具えてなる。
【００１０】
請求項２に記載するチェーン式吊り上げ装置は、請求項１におけるベース部を覆う該本体カバーの一方に該電動機セットに電気的に接続するコンセントを設けるとともに、該コンセントにコンセントカバーを設け、かつ該制御板の制御用ケーブルの一端に、該コンセントに挿入されて電気的接続するコネクタを設ける。
【００１１】
請求項３に記載するチェーン式吊り上げ装置は、請求項１における歯車セットが遊星歯車機構であって、第１歯車セットと、第２歯車セットと、シャフトギアとを順に歯合させて伝動を行う三段階の減速を行い、該ベース部に内設された該スプロケットを連動させ、かつ該スプロケットの回転で該チェーンを連動させてガイド板内で作動させるとともに、該チェーンを該収納口からチェーンを展開、もしくは収納する。
【００１２】
請求項４に記載するチェーン式吊り上げ装置は、請求項３におけるチェーンの一端に下フックを設け、かつ該下フックの上方に、該チェーンの可動距離を制限する弾性緩衝ブロックを設ける。
【００１３】
請求項５に記載する上げチェーン式吊り上げ装置は、請求項３におけるチェーンの下方に弾性緩衝ブロックと下フックとを設け、かつ該弾性緩衝ブロックが該下フック上に位置し、該弾性緩衝ブロックにスプロケットを内設し、該チェーンが該弾性緩衝ブロックに進入し、内設する該スプロケットに歯合して通過し、一端が該ベース部に固定されるとともに、該チェーンが該下フック上に並列し、それぞれ位置制限ブロックと、スプロケット端とを付設して該チェーンの可動距離を制限して、動滑車方式の構造を形成する。
【００１４】
請求項６に記載するチェーン式吊り上げ装置は、請求項１における下フックが３６０度の回転を達成し、かつ該下フックに安全弾性板を設ける。
【００１５】
請求項７に記載するチェーン式吊り上げ装置は、請求項１における記制御板に、電力量、出力、過負荷アラームを表示するＬＥＤ表示窓を設ける。
【考案の効果】
【００１６】
この考案によるチェーン式吊り上げ装置は、従来の装置に見られる体積が大きく設置が容易でなく、かつ装置と被吊り上げ物との間の吊り上げ距離が理想的でないなどの欠点を改善するものであって、操作が容易で使用上便利であり、かつ軽量化することによって携帯に便利であることから、使用上の安全性と作業効率を高めるという利点を有する。
【００１７】
さらに、この考案によるチェーン式吊り上げ装置は物体を最短距離で吊り上げることができるため、装置を掛止した状態で使用する際の空間の制限を減少させることができ、使用上の応用性が広くなるという利便性を有する。
【図面の簡単な説明】
【００１８】
【図１】この考案によるチェーン式吊り上げ装置を示した斜視図である。
【図２】この考案によるチェーン式吊り上げ装置の分解図である。
【図３】この考案によるチェーン式吊り上げ装置の使用態様を示した説明図である。
【図４】第２の実施の形態によるチェーン式吊り上げ装置を示した斜視図である。
【図５】第２の実施の形態によるチェーン式吊り上げ装置の分解図である。
【図６】第２の実施の形態によるチェーン式吊り上げ装置の使用態様を示した説明図である。
【考案を実施するための形態】
【００１９】
この考案は、チェーン式吊り上げ装置を提供するものであって、最も短い吊り上げ距離を有し、吊り上げ作業の空間の制限を減少させることができ、かつ軽量で、高いモバイル性を有し、さらに充電機能を有する制御手段を具え、使用上の便利で安全なチェーン式吊り上げ装置を提供するものであって、吊り上げ装置本体と充電式の制御手段とを具えてなり、該吊り上げ装置本体が、両端をそれぞれ本体カバーで覆ってなり、かつ電動機セットと、歯車セットと、該電動機セットと該歯車セットによって駆動するスプロケットと、該スプロケットに連動して展開し、もしくは収納されるチェーンと、を内設してなるとともに、上端に上フックを設け、該チェーンの一端に下フックを設け、外面にチェーンカバーを設け、かつ該チェーンカバーに収納口を設けてなるベース部を具えてなり、該制御手段が  電子計算手段と、該電子計算手段を制御する制御板と、押しボタンスイッチと、充電座と、電池とを具えるともに、該吊り上げ装置本体に電気的に接続して該吊り上げ装置本体の作動を制御する制御用ケーブルとを具えてなる。係るチェーン式吊り上げ装置の構造と特徴を説明するために、具体的な実施例を挙げ、図面を参照にして以下に詳述する。
【実施例】
【００２０】
図１から図３に開示するように、この考案による吊り上げ装置は、吊り上げ装置本体１と、充電式の制御手段２とによってなり、定滑車方式の構造を具える。
【００２１】
吊り上げ装置本体１は、電動機セット１１と、歯車セット１２と、チェーン１３とを具えてなる。
【００２２】
吊り上げ装置本体１は、二つのハウジング１００を組み立ててなるベース部１０を具え、ベース部１０上には、物体を吊り上げる作業における掛着に供する上フック１０１を設ける。
【００２３】
ベース部１０には、電動機セット１１と、歯車セット１２と、スプロケット１２４と、チェーン１３とを内設し、電動機セット１１と歯車セット１２とによってスプロケット１２４を駆動してチェーン１３を展開、もしくは収納する。
【００２４】
チェーン１３は物体の吊着に供し、合金鋼によってなり、高い剛性率と強度を具え、錆が発生しない。チェーンの強度は負荷量の３倍とする。
【００２５】
ベース部１０の両端は、それぞれ本体カバー１４で覆う。ベース部１０と本体カバー１４はアルミ合金をダイカストによって成形してなり、軽量で、放熱性に優れ、構造が緊密で、好ましい防水性を有する。また、ボルトを締結して取り付けることによって、作業に便利で、組立の時間を短縮することができる。
【００２６】
ベース部１０の外面にはチェーンカバー１５を設ける。チェーンカバー１５はベース部１０の底面に近接した位置に収納口１５０を設ける。
【００２７】
電動機セット１１はミニモーターであり、歯車セット１２は遊星歯車機構であって、それぞれベース部１０の両側から嵌設する。また、該遊星歯車機構は、三段階の減速を行う。即ち、第１歯車セット１２１と、第２歯車セット１２２と、シャフトギア１２３とを順に歯合させて伝動を行う。第２歯車セット１２２には過負荷装置歯車セットを付設する。シャフトギア１２３の回転はベース部１０に内設したスプロケット１２４を連動させ、スプロケット１２４の回転がチェーン１３を連動させてガイド板１２５内で作動させる。
【００２８】
チェーン１３は、一端がチェーンカバー１５の収納口１５０から外部に展開し、又は収納される。他端には下フック１７を設けるとともに、位置制限ブロック１２６を付設して  チェーン１３の可動距離を制限する。また、チェーン１３は下フック１７の上方に弾性緩衝ブロック１６を設ける。
【００２９】
下フック１７は合金鋼を鍛造してなり、高い強度と安全性とを具えるとともに、軸受を内設ける。よって、３６０度の回転を達成してチェーン１３を保護する。また、下フック１７には安全弾性板１７０を設けて、吊りあげる物体が予期せず下フック１７から外れることを防ぐ。
【００３０】
また、ベース部を覆う本体カバー１４の一方に電動機セット１１に電気的に接続するコンセント１４０を設ける。コンセント１４０には、防水、防塵機能を具えた樹脂などによってなり、コンセント１４０を覆うコンセントカバー１４１を設ける。
【００３１】
制御手段２は充電機能を具え、樹脂製のベースハウジング２１を設ける。ベースハウジング２１には、例えばマイクロコンピュータである電子計算手段（図示しない）と、該電子計算手段を制御する制御板２１１と、ブザー２１２と、押しボタンスイッチ２１３、スイッチボタン２１４とを内設する。制御板２１１は、ブザー２１２と、押しボタンスイッチ２１３とに電気的に接続する。押しボタンスイッチ２１３には、切換つまみ２１３１を付設する。
【００３２】
また、ベースハウジング２１の下端には電池２１５を設け、かつ電池２１５上には制御用ケーブル２１６を設け、制御用ケーブル２１６の他端には、例えばクイックコネクタであるコネクタ２１７を設け、コネクタ２１７を吊り上げ装置本体１のコンセント１４０に着脱自在に挿入して電気的接続する。
【００３３】
制御手段２の制御板２１１にＬＥＤ表示窓２１８を設けて電力量、出力、過負荷アラームを表示する。よって、使用上の安全性を高めることができる。
【００３４】
ブザー２１２は過負荷となった場合に、自動的に音声を発生させる。
【００３５】
押しボタンスイッチ２１３の上方にはスイッチボタン２１４を設ける。スイッチボタン２１４には弾性体２１４１を内設することによって自動的に本来の位置に復帰する効果が得られる。押しボタンスイッチ２１３を軽く押し圧すると、スイッチボタン２１４は弾性体２１４１の付勢力によって本体の位置に復帰し、押しボタンスイッチ２１３の作動を解除することができる。押しボタンスイッチ２１３は無段変速であって、押下が深くなればなるほど速くなる。
【００３６】
電池２１５は二次電池であって、例えばニッケル・水素電池を用い、制御手段２の下方に設ける。即ち、制御手段２に着脱自在に設ける。また、充電座２２を設け、外した電池２１５を倒立させて充電座２２に挿入し、変圧器２３を介して外部電源に接続して電力を充電する。
【００３７】
図３に開示するように、吊り上げ装置本体１を使用する場合は、予めチェーン１３を引き出しておく。下フック１７で物体を吊り上げる場合は、切換つまみ２１３１の左を選択して押し圧すると正転し、右を押し圧する反転する。押しボタンスイッチ２１３を押下してチェーン１３を下すか、もしくは引き上げて物体を吊り上げる作業を行う。
【００３８】
図４から６に、他の実施の形態を開示する。他の実施の形態における吊り上げ装置は、上述する実施の形態による吊り上げ装置とほぼ同様に構成するが、但し動滑車方式の構造を具える。図面に開示するように、吊り上げ装置本体３は、二つのハウジング３００を組み立ててなるベース部３０を具え、ベース部３０上には、物体を吊り上げる作業における掛着に供する上フック３０１を設ける。
【００３９】
ベース部３０には、電動機セット３１と、歯車セット３２と、スプロケット３２４と、チェーン３３とを内設する。また、ベース部３０の両端は、それぞれ本体カバー３４で覆い、かつベース部３０の外面にはチェーンカバー３５を設ける。チェーンカバー３５はベース部３０の底面に近接した位置に収納口３５０を設ける。
【００４０】
駆動のための構造については、電動機セット３１と歯車セット３２とによってスプロケット３２４と駆動し、かつチェーン３３を連動させて展開、もしくは収納を行う。
【００４１】
歯車セット３２は遊星歯車機構であって、それぞれベース部３０の両側から嵌設する。また、該遊星歯車機構は、三段階の減速を行う。即ち、第１歯車セット３２１と、第２歯車セット３２２と、シャフトギア３２３とを順に歯合させて伝動を行う。第２歯車セット３２２には過負荷装置歯車セットを付設する。
【００４２】
シャフトギア３２３がベース部３０に内設したスプロケット３２４を連動させると、スプロケット３２４がチェーン３３を連動させてガイド板３２５内で作動させる。
【００４３】
チェーン３３には下方に弾性緩衝ブロック３６と下フック３７とを設ける。弾性緩衝ブロック３６は下フック３７上に位置する。前記実施の形態と異なり、弾性緩衝ブロック３６にはスプロケット３６０を内設し、チェーン３３は弾性緩衝ブロック３６に進入し、内設するスプロケット３６０に歯合して通過し、一端がベース部３０に固定される。
【００４４】
また、チェーン３３は下フック３７上に並列し、それぞれ位置制限ブロック３２６と、スプロケット端３２７を付設し、チェーン３３の可動距離を制限する。係る構成によって動滑車方式の構造を形成し、物体の吊り上げに必要とする力を節減する吊り上げ装置を構成する。
【００４５】
以上はこの考案の好ましい実施の形態であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００４６】
１           吊り上げ装置本体
１０         ベース部
１００       ハウジング
１０１       上フック
１１         電動機セット
１２         歯車セット
１２１       第１歯車セット
１２２       第２歯車セット
１２３       シャフトギア
１２４       スプロケット
１２５       ガイド板
１２６       位置制限ブロック
１３         チェーン
１４         本体カバー
１４０       コンセント
１４１       コンセントカバー
１５         チェーンカバー
１５０       収納口
１６         弾性緩衝ブロック
１７         下フック
１７０       安全弾性板
２           制御手段
２１         ベースハウジング
２１１       制御板
２１２       ブザー
２１３       押しボタンスイッチ
２１３１     切換つまみ
２１４       スイッチボタン
２１４１     弾性体
２１５       電池
２１６       制御用ケーブル
２１７       コネクタ
２１８       ＬＥＤ表示窓
２２         充電座
２３         変圧器
３           吊り上げ装置本体
３０         ベース部
３００       ハウジング
３０１       上フック
３１         電動機セット
３２         歯車セット
３２１       第１歯車セット
３２２       第２歯車セット
３２３       シャフトギア
３２４       スプロケット
３２５       ガイド板
３２６       位置制限ブロック
３２７       スプロケット端
３３         チェーン
３４         本体カバー
３５         チェーンカバー
３５０       収納口
３６         弾性緩衝ブロック
３６０       スプロケット
３７         下フック 
【図１】
0003196542.tif 000003
【図２】
0003196542.tif 000004
【図３】
0003196542.tif 000005
【図４】
0003196542.tif 000006
【図５】
0003196542.tif 000007
【図６】
0003196542.tif 000008